(57)【要約】【課題】着衣、あるいは帽子や眼鏡などの装身具等に装着できるのはもちろん、照明が必要とされるあらゆる状況に対応して照明具の装着位置を自由に変更し、照射方向を自由に変更できる、小形軽量で携行に適した照明具を提供する。【解決手段】照明具本体１と、照明具本体１を着衣などに止着する装着具２とからなる。照明具本体１は、ＬＥＤ１９、電池１５、スイッチ片９と、これらを収容する主ケース７およびキャップ８で構成する。装着具２は、着衣の任意位置に着脱自在に止着できるクリップ３を備えたベース４と、ベース４で球継手２５を介して軸支されるホルダー５とからなる。照明具本体１はホルダー５に装着されて、球継手２５の可動範囲内で、ホルダー５とともに全方位へ回転変位し、あるいは傾動旋回してＬＥＤ１９の照射方向を広範に変更できる。【選択図】        図１
2004311188.tif 000002
【特許請求の範囲】
【請求項１】
光源となるＬＥＤ１９と、ＬＥＤ１９に電流を供給する電池１５と、ＬＥＤ１９を点灯ないし消灯操作するスイッチ片９を備えている照明具本体１と、照明具本体１を着衣ないし装身具に着脱自在に止着するための装着具２とを備えており、
装着具２は、着衣ないし装身具の任意位置に着脱自在に止着できるクリップ３を備えたベース４と、ベース４で傾動ないし回転可能に軸支されるホルダー５とからなり、
照明具本体１が、ホルダー５に着脱自在に装着されて、ホルダー５とともに傾動ないし回転変位できることを特徴とする照明具。
【請求項２】
クリップ３が、取付個所を協同して挟み保持する第１・第２の挟持体２７・２８を備えていて、着衣ないし装身具の任意位置に着脱自在に止着でき、
ホルダー５が、ベース４とホルダー５との間に設けた球継手２５を介して全方位へ傾動および回転可能に軸支されている請求項１記載の照明具。
【請求項３】
照明具本体１が、有底筒状の主ケース７と、主ケース７の開口面を塞ぐキャップ８を備えており、
複数個の電池１５の前後を挟持する前後一対の基板１６・１７と、基板１６・１７どうしを電気的に接続する一対のリード体１８と、片方の基板１６に固定されるＬＥＤ１９とがユニット部品化されて、主ケース７内に組み込んである請求項１または２記載の照明具。
【請求項４】
ベース４の片面に膨出形成したボス３１の内面に球軸受３２が形成されており、
ホルダー５は、照明具本体１が係合装着されるソケット３８と、球軸受３２で軸支される球軸４０とを含んで構成されており、
ボス３１の開口周縁にホルダー５の横臥傾動を許す逃げ溝３６が形成してある請求項１２または３記載の照明具。
【請求項５】
主ケース７の内部に、ＬＥＤ１９の発光状態を複数状態に切り換える制御回路２０が設けられており、
スイッチ片９の複数回のオン操作に応じて、ＬＥＤ１９の発光状態が複数の発光状態と、消灯状態とに循環的に切り換わるように制御回路２０が構成してある請求項１から３のいずれかに記載の照明具。
【請求項６】
光源となるＬＥＤ１９と、ＬＥＤ１９に電流を供給する電池１５と、ＬＥＤ１９を点灯ないし消灯操作するスイッチ片９を備えている照明具本体１と、照明具本体１を着衣ないし装身具に着脱自在に止着する装着具２とからなり、
装着具２が、互いに止着および分離が可能で、片面に粘着層４２ａ・４３ａを備えた雌雄一対の面ファスナー４２・４３で形成されており、
雌雄一対の面ファスナー４２・４３のそれぞれが、照明具本体１の周面と、着衣ないし装身具に接着固定してある照明具。
【発明の詳細な説明】
【０００１】
【発明の属する技術分野】
本発明は、着衣、あるいは帽子や眼鏡などの装身具等に装着して使用できる、携行に適した小形の照明具に関する。
【０００２】
【従来の技術】
従来のこの種の照明具として、衣服のポケットなどに装着して使用できる携帯用警告灯が提案されている（特許文献１参照）。そこでは、電池が収容されるケースと、電球および切り換えスイッチが組み込まれる透明のキャップと、ケースの外面に設けられるクリップ等で警告灯を構成している。この警告灯は、ポケットライトなどの手持ち型の照明具とは異なり、胸ポケットなどに装着した状態、つまり両手を開放した状態で使用できる。
【０００３】
上記の照明具とは逆に、小形の照明具を装着できるようにしたチョッキが提案されている（特許文献２参照）。そこでは、チョッキの生地表面に開閉可能なフラップを逢着しておき、先の生地表面とフラップのそれぞれに雌雄一対の面ファスナーを固定している。照明具は、生地表面と、生地表面に面ファスナーを介して止着したフラップとの間に固定され、固定される向きを換えることにより、照射方向を変更できる。
【０００４】
【特許文献１】
実開昭５１−１６０４８６号公報（実用新案登録請求の範囲、第１図）
【特許文献２】
特開２００１−８９９０８号公報（段落番号００３４、図３）
【０００５】
【発明が解決しようとする課題】
上記の各照明具は、それぞれ身に付けた状態で使用でき、両手を自由に使うことができる。しかし、いずれも照明具の装着位置が着衣の特定部位に限定されるので、その用途が限定されやすい。特許文献１の照明具で特定の方向を照射する場合には、照明具を手で持って照明光の照射方向を変更せざるを得ない不便もある。特許文献２の照明具は、その装着姿勢を変更することで照射方向を変更できるが、装着姿勢の変更に多くの手間が掛り即応性に欠ける。別のユニットからなる照明具と電源とを、それぞれ体のどこかに装着する必要があるので、着脱に着脱に手間がかかるうえ、照明具と電源とを結ぶリード線が身体の自由な動きを邪魔する不利もある。照明具とは別に、重たく、嵩張りやすい電源を携行する必要もある。
【０００６】
本発明の目的は、着衣、あるいは帽子や眼鏡などの装身具等に装着できるのはもちろん、照明が必要とされるあらゆる状況に対応して照明具の装着位置を自由に変更できる、小形軽量で携行に適した照明具を提供することにある。本発明の目的は、照明具を必要個所に装着した状態のままで、その照射方向を自由にしかも簡単に変更できる、即応性と使い勝手に優れた照明具を提供することにある。本発明の目的は、照明具の装着姿勢をワンタッチで変更して照射方向を自由にできるうえ、そのための構造が簡単で安価に提供できる、小形軽量で携行に適した照明具を提供することにある。
【０００７】
【課題を解決するための手段】
本発明の照明具は、光源となるＬＥＤ１９と、ＬＥＤ１９に電流を供給する電池１５と、ＬＥＤ１９を点灯ないし消灯操作するスイッチ片９を備えている照明具本体１と、照明具本体１を着衣ないし装身具に着脱自在に止着するための装着具２とを備えている。装着具２は、着衣ないし装身具の任意位置に着脱自在に止着できるクリップ３を備えたベース４と、ベース４で傾動ないし回転可能に軸支されるホルダー５とからなる。照明具本体１は、ホルダー５に着脱自在に装着されて、ホルダー５とともに傾動ないし回転変位できることを特徴とする。
【０００８】
クリップ３は、取付個所を協同して挟み保持する第１・第２の挟持体２７・２８を備えていて、着衣ないし装身具の任意位置に着脱自在に止着できる。ホルダー５は、ベース４とホルダー５との間に設けた球継手２５を介して全方位へ傾動および回転可能に軸支する。
【０００９】
照明具本体１は、有底筒状の主ケース７と、主ケース７の開口面を塞ぐキャップ８を備えている。複数個の電池１５の前後を挟持する前後一対の基板１６・１７と、基板１６・１７どうしを電気的に接続する一対のリード体１８と、片方の基板１６に固定されるＬＥＤ１９とがユニット部品化されて、主ケース７内に組み込んである。
【００１０】
ベース４の片面に膨出形成したボス３１の内面に球軸受３２を形成する。ホルダー５は、照明具本体１が係合装着されるソケット３８と、球軸受３２で軸支される球軸４０とを含んで構成する。ボス３１の開口周縁にホルダー５の横臥傾動を許す逃げ溝３６を形成する。
【００１１】
主ケース７の内部に、ＬＥＤ１９の発光状態を複数状態に切り換える制御回路２０を設ける。スイッチ片９の複数回のオン操作に応じて、ＬＥＤ１９の発光状態が複数の発光状態と、消灯状態とに循環的に切り換わるように制御回路２０を構成する。
【００１２】
本発明の別の照明具は、光源となるＬＥＤ１９と、ＬＥＤ１９に電流を供給する電池１５と、ＬＥＤ１９を点灯ないし消灯操作するスイッチ片９を備えている照明具本体１と、照明具本体１を着衣ないし装身具に着脱自在に止着する装着具２とからなる。装着具２は、互いに止着および分離が可能で、片面に粘着層４２ａ・４３ａを備えた雌雄一対の面ファスナー４２・４３で形成する。雌雄一対の面ファスナー４２・４３のそれぞれを、照明具本体１の周面と、着衣ないし装身具に接着固定する。
【００１３】
【発明の作用効果】
本発明の照明具は、ＬＥＤ１９、電池１５、スイッチ片９等を含む照明具本体１と、照明具本体１を着衣ないし装身具に着脱自在に止着するための装着具２とで構成した。装着具２が、クリップ３を備えたベース４と、ベース４で傾動ないし回転可能に軸支されるホルダー５とで構成してあるので、照明具を着衣、あるいは帽子や眼鏡などの装身具等に装着できるのはもちろん、クリップ３の止着位置を変更することにより、照明が必要とされるあらゆる状況に対応して照明具の装着位置を自由に変更できる。さらに、ホルダー５に装着した照明具本体１を、ホルダー５とともに傾動ないし回転変位することにより、照明具を必要個所に装着した状態のままで、照明具本体１の照射方向を簡単に変更できるので、照明が必要な個所を必要に応じて適切に照射でき、従って即応性と使い勝手に優れた、小形軽量で携行に適した照明具が得られる。照明具本体１をホルダー５に対して着脱可能とするので、電池１５の交換や、電装品の点検等を簡便に行える利点もある。
【００１４】
第１・第２の挟持体２７・２８でクリップ３を構成すると、両挟持体２７・２８で着衣等を挟み保持するだけで照明具を任意の位置に止着できるので、装着位置を簡便に変更できるうえ、両挟持体２７・２８で取付個所を確りと挟持固定して、照明具が取付位置から抜け落ちるのをよく防止できる。ホルダー５を、ベース４とホルダー５との間に設けた球継手２５を介して全方位へ傾動旋回および回転可能に軸支した装着具２によれば、照明具本体１の照射方向を広い範囲にわたって変更でき、例えば、照明具本体１を単に傾動、ないし単に回転変位させる場合に比べて照射範囲を拡大し、使い勝手を向上できる。
【００１５】
前後一対の基板１６・１７と、基板１６・１７どうしを接続する一対のリード体１８と、片方の基板１６に固定されるＬＥＤ１９とを１個のユニット部品として構成し、これらを電池１５とともに主ケース７内に組み込むようにした照明具によれば、電池１５の交換や、スイッチ端子２４の接触状況などを点検するような場合に、先の電装部品をひとまとめにして取り扱うことができるので、照明具本体１の分解や、再組立をより少ない手間で簡単に行うことができるうえ、各電装部品同士の接続状態の信頼性を向上できる。従って接触不良を原因とする点灯不良を一掃し、電池交換を安心してユーザーに委ねることができる。
【００１６】
ベース４に設けたボス３１の内面に球軸受３２を形成し、この球軸受３２でホルダー５の球軸４０を軸支し、ボス３１の開口周縁にホルダー５の横臥傾動を許す逃げ溝３６を形成した装着具２によれば、ホルダー５を全方位へ傾動旋回および回転変位可能としたうえで、横臥傾動したホルダー５の中心軸線の回りに照明具本体１を回転操作して、ＬＥＤ１９の照射方向を変更できるので、照明具本体１の照射範囲をさらに拡大できる。
【００１７】
主ケース７の内部に制御回路２０を設け、スイッチ片９の複数回のオン操作に応じて、ＬＥＤ１９の発光状態を複数の発光状態に変化させ、あるいは、発光状態から消灯状態に循環的に切り換わるようにすると、スイッチ片９をオン操作するだけの簡単な操作で、照明具を警告灯や信号灯としても使用でき、照明具の用途を拡大できる利点がある。
【００１８】
互いに止着および分離が可能で、片面に粘着層４２ａ・４３ａを備えた雌雄一対の面ファスナー４２・４３で形成した装着具２によれば、雌雄一対の面ファスナー４２・４３のそれぞれを、照明具本体１の周面と、着衣ないし装身具に接着固定するだけで、照明具本体１を任意の位置に装着できるうえ、着衣などに固定した面ファスナー４３に対する照明具本体１の装着姿勢をワンタッチで変更して照射方向を自由にできる。雌雄一対の面ファスナ４２・４３で装着具２を構成するので、装着具２の構造を著しく簡素化でき、小形軽量で携行に適した照明具をさらに安価に提供できる。
【００１９】
【実施例】
図１ないし図７は、本発明に係る照明具の実施例を示す。図２において照明具は、砲弾形の照明具本体１と、照明具本体１を着衣ないし装身具などに着脱自在に装着するための装着具２とで構成する。装着具２は、クリップ３を備えたベース４と、ベース４で全方位へ傾動可能に、かつ回転自在に軸支されるホルダー５とで構成してある。
【００２０】
図１において、照明具本体１は、それぞれプラスチック成形品からなる有底筒状の主ケース７、および主ケース７の開口面を塞ぐキャップ８と、これら両ケース７、８内に収容される電装品ユニットと、スイッチ片９などで構成する。主ケース７の周面の前後中途部には、後述するソケット  で係合捕捉される装着部１０が形成してあり、後端壁の中央にはスイッチ片９を組み付けるための開口１１（図１参照）が形成してある。キャップ８は透明プラスチック材で形成してあり、その先端中央にＬＥＤ１９の先端部分を露出させるための窓１２が開口してある。
【００２１】
図４において電装品ユニットは、３個の電池１５の前後を挟持する前後一対の基板１６・１７と、前後の基板１６・１７どうしを電気的に接続する上下一対のリード体１８と、前側の基板１６の前面側にはんだ付けされる高輝度型のＬＥＤ１９と、後側の基板１７埋設固定される制御チップ（制御回路）２０、および前後の基板１６・１７の対向面に固定される電池用の接続端子を１個のユニット部品として構成してある。リード体１８は自己保形性を有する金属板を素材にして形成してあり、その前後端は前後の基板１６・１７にそれぞれはんだ付けされて、両基板１６・１７の前後間隔を適正な状態に維持している。３個の電池１５は、上下のリード体１８の間から出し入れできる。スイッチ片９と対向する後側の基板１７の後面にはスイッチ端子２４が形成してある。スイッチ片９は、ゴム製のボタン９ａと、先のスイッチ端子を導通させる、ボタン９ａの内面に固定した導通ピース９ｂとからなる。
【００２２】
スイッチ９と、電池１５を含む上記の電装品ユニットとを主ケース７に組み付け、ＬＥＤ１９の発光部分に前拡がりテーパー状の反射体２３を装着したのち、キャップ８を主ケース７に外嵌固定することにより、照明具本体１を完成できる。この組立状態において、ＬＥＤ１９の先端は、図１に示すようにキャップ８の窓１２から突出しており、従って、指向性の強い照射光をキャップ８の外へ直接放射できる。スイッチ９の操作ボタンは開口１１からケース外へ突出しており、この突出部分を押し込み操作することにより、導通ピース９ｂをスイッチ端子２４に接触させて、スイッチ端子２４を導通することができる。なお、装着部１０の前後は、キャップ８の後端面と後ろ側の段壁とで他から区分してある。得られた照明具本体１の外形寸法の概略は、最大外径が１２ｍｍで、前後長さは２０ｍｍである。電池１５の直径は１０ｍｍ、厚み寸法は２ｍｍである。
【００２３】
図２において、装着具２は、着衣ないし装身具の任意位置に着脱自在に止着される、クリップ３を備えた円形のベース４と、先の照明具本体１が装着されるホルダー５とで構成する。ベース４およびホルダー５は、例えばポリプロピレンなどの弾性に富むプラスチック材を素材にして得られる成形品からなり、これら両者４・５は球継手２５を介して連結する。
【００２４】
ベース４の板面には、平面から見てＣ字状の区分溝２６が形成してあり、この区分溝２６で内外に区分される舌片状の第１挟持体２７と、第１挟持体２７の周りを囲む第２挟持体２８とでクリップ３を構成している。両挟持体２７・２８は、それぞれ区分溝２６の溝端側を基端にして、厚み方向へ弾性変形でき、その上下面には、それぞれ滑止用のリブ２９が平行に形成してある。図５に示すように、例えば着衣のポケット生地（取付個所）の内外面を両挟持体２７・２８で挟み保持することにより、装着具２を着衣に着脱自在に止着できる。シャツの前身頃の端縁や、襟、あるいはジャケットのラペルなどの取付個所を、両挟持体２７・２８で内外にはさみ保持することにより、装着具２を装着することもできる。
【００２５】
ベース４の上面一側にはボス３１が一体に膨出形成してあり、このボス３１の内面上部に形成した球軸受３２と、後述するホルダー５の球軸４０とで球継手２５を構成している。球軸４０はボス３１の上面側から圧嵌装着して球軸受３２に嵌合するが、装填した球軸４０を球軸受３１に押し付けて、両者間に適度の摩擦抵抗を発生させるため、すなわちホルダー５を任意の傾動位置で位置保持できるようにするために、図１に示すように、ボス３１の下面開口にプラグ３３を内嵌固定し、その上面に突設した突起３４で球軸４０を上向きに押圧している。ホルダー５の傾動旋回を許すために、球軸受３２の開口縁側に上拡がりテーパー状の逃げ面３５を形成し、さらに、ホルダー５を左右方向へ１８０度傾動できるようにするために、ボス３１の左右に逃げ溝３６を切り欠き形成している。
【００２６】
ホルダー５は、照明具本体１の装着部１０を係合補足する断面Ｃ字状のソケット３８と、ソケット３８の下面に突設される短軸３９と、短軸３９の下面に形成される球軸４０とを一体に備えている。先に説明したように、ホルダー５をベース４に組み付け、さらに、照明具本体１の装着部１０を上方からソケット３６に圧嵌係合することにより、照明具本体１を素横着具２と一体化できる。この組み付け状態において、ホルダー５は図３に符号Ｓ１で示すように、球軸４０を中心にして全方向へ回転変位でき、符号Ｓ２で示すように逃げ面３５の傾斜角度に沿って傾動した状態のままで全方位へ傾動旋回でき、符号Ｓ３で示すように短軸３９が逃げ溝３６に嵌り込む状態にまで側方傾動できる。なお、電池１５を含む照明具本体１とホルダー５との合計重量は２．８ｇである。
【００２７】
制御チップ２０は、例えばハイブリッド型のＩＣチップからなり、スイッチ片９の複数回のオン操作に応じて、ＬＥＤ１９の発光状態を、複数の発光状態と消灯状態とに循環的に切り換えることができる。具体的には、基板１７側のスイッチ端子２４を導通した回数が１回であれば、ＬＥＤ１９を連続点灯させて通常の照明具として使用する。導通回数が２回であれば、ＬＥＤ１９をゆっくりした間隔で断続点灯させ、さらに先の導通回数が３回であれば、ＬＥＤ１９を短い間隔で断続点灯させて、照明具を警告灯や信号灯として使用する。導通回数が４回であればＬＥＤ１９を消灯する。ＬＥＤ１９として、フルカラー型の高輝度ＬＥＤを用いる場合には、先の導通回数に応じて印加電圧を変更してＬＥＤ１９の発光色を異ならせ、同時に断続点灯できるように制御チップ２０を構成することができる。
【００２８】
次に、照明具の具体的な使用例を図５ないし図７に基づき説明する。図５では、着衣のポケット生地の内面に第２挟持体２８を差し込み、ポケット生地の外面を第１挟持体２７で抑えることにより、照明具を着衣の胸ポケットに装着した。この使用例では、ホルダー５を逃げ溝３６側へ倒しこみ、その状態のままでホルダー５を球軸４０の周りに回転操作して、ＬＥＤ１９の照射方向が使用者の前方斜め下向きになるように調整してある。この状態で照明具本体１をつまんで、回動操作し、あるいは起伏操作することにより、ＬＥＤ１９の照射方向を簡単に変更し、その状態を維持しつづけることができる。必要があれば、クリップ３をポケット生地から抜取って、着衣の襟や、ラペルに付け替えることにより、照明できる個所を簡単に変更できる。
【００２９】
図６においては、目庇の周縁部分の上下を第１挟持体２７と第２挟持体２８とで挟持して、ボス３１が下向きに突出する状態で装着具２を帽子（装身具）の目庇に固定した。そのうえで、ホルダー５を逃げ溝３６に嵌り込む状態で傾動し、さらにホルダー５の全体を球軸４０周りに回転操作して、ＬＥＤ１９の照射方向が目庇の下方を指向するようにした。この使用例においても、照明具本体１をつまんでホルダー５を傾動操作し、回転操作することにより、ＬＥＤ１９の光軸を自由にしかも簡単に変更できる。このように、照明具は着衣以外にも装着でき、ショルダーバッグの肩掛けベルトや、バッグのポケット等の装身具に装着できる。
【００３０】
照明具は図７に示すように読書灯として使用することができる。そこでは、本やノートの裏表紙（または表表紙）の上部周縁を第１挟持体２７と第２挟持体２８とで挟持して、ボス３１が誌面と概ね直交する向きに突出する状態で装着具２を固定した。そのうえで、ホルダー５を誌面に対して斜め下向きに傾動させて、ＬＥＤ１９が誌面全体を斜めに照らすようにした。読んでいるページが変り、あるいは読む位置が変るのに応じて照明具本体１の向きを変更してもよい。
【００３１】
図８ないし図１２は、本発明の別実施例を示す。そこでは、装着具２を、互いに接合止着および分離が可能な雌雄一対の面ファスナー４２・４３で形成した。面ファスナ４２・４３は、それぞれ照明具本体１の装着部１０の前後幅より僅かに幅狭のテープ状に形成してあり、取り付け面側に粘着層４２ａ・４３ａを備えている。
【００３２】
面ファスナー４２・４３を装着要素とする装着具２の使用例を、図９ないし図１２に示している。図９においては、適当な長さに切断した片方の面ファスナー４３を眼鏡のテンプルに巻き付けて貼り付け固定し、同様に適当な長さに切断した他方の面ファスナー４２を照明具本体１の装着部１０に巻き付けるようにして貼り付け固定する。そのうえで、後者の面ファスナー４２を、矢印で示すように前者面ファスナー４３に押し付けることにより、照明具本体１をテンプルに止着固定できる。この使用例では、照明具本体１の装着姿勢を変更することにより、ＬＥＤ１９の光軸を任意方向へ変更でき、姿勢変更はワンタッチで行える。また、照明具本体１は、一つの眼鏡に複数個を取り付けることもできる。
【００３３】
図１０においては、適当な長さに切断した片方の面ファスナー４３を帽子の目庇の下面に貼り付け固定し、同様に適当な長さに切断した他方の面ファスナー４２を照明具本体１の装着部１０に貼り付け固定する。そのうえで、後者の面ファスナー４２を、前者面ファスナー４３に押し付けることにより、照明具本体１を目庇に止着固定した。この使用例においても、照明具本体１の装着姿勢を変更することによりＬＥＤ１９の光軸を任意方向へ変更できる。
【００３４】
図１１においては、円形の面ファスナー４３を制服の後身頃の肩部分に逢着し、面ファスナー４２が固定してある照明具本体１を先の面ファスナー４３に止着した。この場合の照明具は運転者の注意を喚起するために使用する。そのために、キャップ８の内面に多面体状の乱反射面８ａを設けて、照射光を効果的に散乱できるようにした。着衣が起毛生地で形成してある場合には、先の面ファスナー４３を省略して、面ファスナー４２が固定してある照明具本体１を直接着衣に固定することができる。必要があれば、複数個の照明具本体１を面ファスナー４３に止着できる。
【００３５】
図１２においては、耳かきに照明具本体１を面ファスナー４２を介して止着した。耳かきには図示していない面ファスナ４２を予め固定しておく。このように、本発明の照明具は、補助的な照明具として使用することができる。
【００３６】
上記の実施例以外に、電池１５の使用個数は少なくとも１個あればよく、複数個の電池１５を並列接続して使用できる。チップ化されたＬＥＤを光源とすることができる。照明具本体１は光源として、複数個のＬＥＤ１９を備えていてもよい。クリップ３はベース４と別体の専用部品で形成することができる。球軸４０をベース４側に設け、球軸受３２をホルダー５側に設けることができる。スイッチ片９は押しボタン型以外にスライドノブ型であってもよい。ホルダー５はベース４で傾動可能に軸支することができ、回転のみ可能に軸支することができる。図１の照明具は、ベース４を載置した状態で使用することができる。
【図面の簡単な説明】
【図１】照明具の縦断側面図である。
【図２】照明具の分解斜視図である。
【図３】照明具本体の変位可能な範囲を示す斜視図である。
【図４】照明具本体の分解側面図である。
【図５】照明具の使用例を示す正面図である。
【図６】照明具の別の使用例を示す斜視図である。
【図７】照明具の別の使用例を示す正面図である。
【図８】照明具の別実施例を示す分解斜視図である。
【図９】別実施例に係る照明具の使用例を示す斜視図である。
【図１０】別実施例に係る照明具の使用例を示す側面図である。
【図１１】別実施例に係る照明具の使用例を示す説明図である。
【図１２】別実施例に係る照明具の使用例を示す斜視図である。
【符号の説明】
１  照明具本体
２  装着具
３  クリップ
４  ベース
５  ホルダー
９  スイッチ片
１５  電池
１９  ＬＥＤ
２５  球継手
２７  第１挟持体
２８  第２挟持体
【図１】
2004311188.tif 000003
【図２】
2004311188.tif 000004
【図３】
2004311188.tif 000005
【図４】
2004311188.tif 000006
【図５】
2004311188.tif 000007
【図６】
2004311188.tif 000008
【図７】
2004311188.tif 000009
【図８】
2004311188.tif 000010
【図９】
2004311188.tif 000011
【図１０】
2004311188.tif 000012
【図１１】
2004311188.tif 000013
【図１２】
2004311188.tif 000014